(57)【要約】      （修正有）【課題】ユーザーの手を傷つけることを有効に防止し、且つ使用寿命を延長できる直骨自動傘フレームを提供する。【解決手段】上ロクロ、中ロクロ、下ロクロ、中棒、弾性部品、主骨、支骨及び支持骨を含む。上ロクロが中棒の上端に固定され、中ロクロと下ロクロが中棒に摺動自在に外挿される。主骨の一端は、上ロクロに枢接され、主骨中部が支骨の一端に枢接され、支骨の他端が中ロクロに枢接される。支持骨が挿着端及び接続端を有し、接続端が支骨中部に枢接され、挿着端が下ロクロに挿着・枢接される。弾性部品が各ロクロ間に接続される。支持骨が挿着端と接続端を連通し、支骨を収納する収納溝を有する。接続端の外側へ浮動防止バンプを延伸し、支骨中部が浮動防止バンプに枢接される。【選択図】図２
0003167355.tif 000002
【実用新案登録請求の範囲】
【請求項１】
中棒と、
前記中棒の上端に固定される上ロクロと、
中ロクロと、
前記中ロクロと摺動可能に前記中棒に外挿される下ロクロと、
前記上ロクロと前記中ロクロとの間及び前記中ロクロと前記下ロクロとの間に接続される弾性部品と、
一端が前記上ロクロに枢接される主骨と、
一端が前記主骨の中部に枢接され、他端が前記中ロクロに枢接され、前記主骨に向く構造溝を有する支骨と、
前記下ロクロに挿着・枢接される挿着端と、前記挿着端から直線に延伸し、前記支骨の中部に枢接される接続端と、前記接続端により外側へ延伸され、前記支骨の中部に枢接される浮動防止バンプと、前記挿着端及び前記接続端を連通し、前記支骨を収納する収納溝とを有する支持骨と
を含む直骨自動傘フレーム。
【請求項２】
前記構造溝及び前記収納溝がいずれもＵ形溝である請求項１に記載の直骨自動傘フレーム。
【請求項３】
前記主骨が鋼材又は繊維材で、前記支骨及び前記支持骨がアルミ材又は鉄材である請求項１または２に記載の直骨自動傘フレーム。
【請求項４】
前記弾性部品が第１の弾性部品及び第２の弾性部品を含み、前記第１の弾性部品が上ロクロと中ロクロとの間に弾性接続され、前記第２の弾性部品が中ロクロと下ロクロとの間に弾性接続される請求項１ないし３のいずれかに記載の直骨自動傘フレーム。
【請求項５】
前記第１の弾性部品及び前記第２の弾性部品がスプリング材である請求項４に記載の直骨自動傘フレーム。
【請求項６】
中棒と、
前記中棒の上端に固定される上ロクロと、
中ロクロと、
前記中ロクロと摺動可能に前記中棒に外挿される下ロクロと、
前記中ロクロと前記下ロクロとの間に接続される弾性部品と、
一端が前記上ロクロに枢接される主骨と、
一端が前記主骨の中部に枢接され、他端が前記中ロクロに枢接され、前記主骨に向く構造溝を有する支骨と、
前記下ロクロに挿着・枢接される挿着端と、前記挿着端から直線に延伸し、前記支骨の中部に枢接される接続端と、前記接続端により外側へ延伸され、前記支骨の中部に枢接される浮動防止バンプと、前記挿着端及び前記接続端を連通し、前記支骨を収納する収納溝とを有する支持骨と
を含む直骨自動傘フレーム。
【請求項７】
前記構造溝及び前記収納溝がいずれもＵ形溝である請求項６に記載の直骨自動傘フレーム。
【請求項８】
前記主骨が鋼材又は繊維材で、前記支骨及び前記支持骨がアルミ材又は鉄材である請求項６または７に記載の直骨自動傘フレーム。
【請求項９】
前記弾性部品がスプリング材である請求項６ないし８のいずれかに記載の直骨自動傘フレーム。
【考案の詳細な説明】
【技術分野】
【０００１】
本考案は直骨自動傘フレームに関し、特に、ユーザーの手を傷つけることを有効に防止すると共に使用寿命を延長できる直骨自動傘フレームに関する。
【背景技術】
【０００２】
経済の発展及び生活水準の上昇に伴い、人々の日常用品の種類、デザイン及び品質に対する要求も高まっている。その中で、日常生活用品の一つである傘は、そのデザイン及び品質が市場占有率に影響を及ぼす主な要素の１つであるため、デザインの創意工夫及び品質の改善がこの分野の創作者にとって最も関心のある課題の１つとなっている。
【０００３】
現在の市場に出回っている傘は、構造的に分類すると、折り畳み式傘及び直骨傘に分類され、機能的に分類すると、自動傘及び手動傘に分類される。
【０００４】
自動傘は、使用時の利便性、簡単な操作性及び構造が緊密である等の長所を持つため、日常生活に幅広く用いられている。
【０００５】
自動傘の１種である直骨自動傘は、上述の長所を有するものの、傘フレームが以下の欠点を持つ。
【０００６】
図１は、従来の直骨自動傘フレーム１を示し、上ロクロ１１、中ロクロ１２、下ロクロ１３、中棒１４、スプリング１５、主骨１６、Ｕ形支骨１７及びＯ型支持骨１８により構成される。上ロクロ１１は、中棒１４の上端に固定され、中ロクロ１２と下ロクロ１３とが中棒１４に摺動自在にもうけられる。また、主骨１６の一端は、上ロクロ１１に枢接され、主骨１６の中部は、支骨１７の一端に枢接され、支骨１７の他端が中ロクロ１２に枢接される。支骨１７の中部は、Ｕ形溝１７０の浮動防止バンプ１７１を有する。支持骨１８の一端は、浮動防止バンプ１７１に枢接され、支持骨１８の他端が下ロクロ１３に枢接され、支骨１７のＵ形溝１７０は、支持骨１８側に向けて設けられ、且つ支持骨１８を支骨１７のＵ形溝１７０内に収納する。スプリング１５は、上ロクロ１１と中ロクロ１２、中ロクロ１２と下ロクロ１３との間に連接される。
【０００７】
傘を閉める時、下ロクロ１３を、上ロクロ１１から離れる方向に中棒１４上をスライドさせるように引く。この際、スライドする下ロクロ１３が下ロクロ１３に固定される支持骨１８を連動させる。支骨１７が支持骨１８に枢接され、主骨１６が支骨１７に枢接されているため、支持骨１８の上下運動で支骨１７及び主骨１６が連動して作動し、最終的に直骨自動傘フレーム１を閉める。この時、支持骨１８は、支骨１７のＵ形溝１７０内に収納される。
【０００８】
しかしながら、上述した従来の技術では、前記支骨１７のＵ形溝１７０が支持骨１８に向けて設けられており、支骨１７の鋭い開口端がユーザーに向いている。傘を開ける又は傘を閉じる時に、ユーザーの手が支骨１７の鋭い開口端に触れることとなり、ユーザーの手を傷つける恐れがある。
【０００９】
また、前記支骨１７の中部にＵ形溝１７０内で支持骨１８の浮動を防止する浮動防止バンプ１７１が設けられているが、この設計では支骨１７の構造強度を下げ、支持骨１８と支骨１７との接続強度を低減させ、直骨自動傘フレーム１が回転偏向により支持骨１８に破損をもたらす、等により直骨自動傘フレーム１の寿命を縮めることとなる。
【考案の概要】
【考案が解決しようとする課題】
【００１０】
本考案者は、鋭意検討を重ね合理的な設計で且つ有効に前記欠点を改善する本考案を提出するに至った。
【００１１】
本考案の主な目的は、ユーザーの手を傷つけることを有効に防止し、且つ使用寿命を延長できる直骨自動傘フレームを提供することにある。
【課題を解決するための手段】
【００１２】
前記の目的に達するため、本考案は、中棒と、該中棒の上端に固定される上ロクロと、中ロクロと、該中ロクロと摺動自在に該中棒に外挿される下ロクロと、該上ロクロと該中ロクロとの間及び該中ロクロと該下ロクロとの間に接続される弾性部品と、一端が該上ロクロに枢接される主骨と、一端が該主骨の中部に枢接され、他端が該中ロクロに枢接され、該主骨に向けられる構造溝を有する支骨と、挿着端及び該挿着端から直線に延伸する接続端を有する支持骨であって、該接続端が該支骨の中部に枢接され、該接続端が外側へ浮動防止バンプを延伸し、該浮動防止バンプが該支骨の中部に枢接され、該支持骨の挿着端が該下ロクロに挿着・枢接され、該支持骨が該挿着端及び該接続端を連通する収納溝を設け、該収納溝が該支骨を該支持骨内に収納する支持骨とを含む直骨自動傘フレームを提供する。
【考案の効果】
【００１３】
本考案は、以下のような有益な効果を持つ。
【００１４】
従来技術と比べて、本考案の直骨自動傘フレームの支骨の構造溝及び該支持骨の収納溝は、いずれもユーザーと背中合わせ（反対）であるため、該支骨と該支持骨の鋭い開口端がユーザーと背中合わせとなっている、すなわち、ユーザー側に向いていない。これによりユーザーの手を傷つけることを有効に防止する。
【００１５】
また、該支骨と該支持骨の重量を抑制すると共に該支骨と該支持骨の構造強度を高めている。これにより本考案の直骨自動傘フレームの構造は強化されており、従来の直骨自動傘フレームにおける回転揺れにより該支持骨が破損しやすいという問題を解決している。
【００１６】
更に、該支持骨の接続端側は、浮動防止バンプから外方向へ延伸し、該浮動防止バンプが該支骨に枢接されていることにより、従来の直骨自動傘フレームにおける該支持骨浮動が該支骨中部の該支骨内側へむけてノックすることにより該支骨の構造を壊し、更に該支骨の寿命を低減する問題を有効に解決する。
【００１７】
本考案の直骨自動傘フレームの構造溝及び収納溝は、いずれもＵ形溝であるため、該支骨と該支持骨の加工を容易にするとともに該支骨と該支持骨の構造強度を増加し、該支骨と該支持骨を更に長持ちさせる。これにより、本考案の直骨自動傘フレームの使用寿命を延長させる。
【００１８】
本考案の直骨自動傘フレームの主骨は、鋼材又は繊維材で、該支骨及び該支持骨はアルミ材又は鉄材であり、該主骨、該支骨及び該支持骨の構造強度を満たしつつ、更に本考案の直骨自動傘フレームの構造を強化している。
【００１９】
本考案の直骨自動傘フレームの弾性部品は、第１の弾性部品及び第２の弾性部品を含み、該第１の弾性部品は、該上ロクロと該中ロクロとの間に弾性接続され、該第２の弾性部品は、該中ロクロと該下ロクロとの間に弾性接続される。該第１の弾性部品及び該第２の弾性部品からなる弾性部品によって、該上ロクロと該中ロクロ、該中ロクロと該下ロクロとを同調して作動させる。該第１の弾性部品と該第２の弾性部品は、スプリング材であり、これにより該弾性部品の構造を簡単且つ低コストとしている。
【図面の簡単な説明】
【００２０】
【図１】従来の直骨自動傘フレームの構造模式図である。
【図２】本考案の直骨自動傘フレームの構造模式図である。
【図３】本考案の直骨自動傘フレームの別の実施例の構造模式図である。
【考案を実施するための形態】
【００２１】
本考案の特徴及び技術内容を更に理解する為、以下の本考案に関する詳細な説明及び図面を参照する。しかしながら図面は、参考及び説明に用いるものであり、本考案に制限するものではない。
＜第１実施形態＞
以下、本考案の直骨自動傘フレームにかかる第１実施形態を図２を用いて説明する。
【００２２】
図２に示すようには、本考案にかかる直骨自動傘フレーム２は、上ロクロ２１、中ロクロ２２、下ロクロ２３、中棒２４、第１の弾性部品２５１、第２の弾性部品２５２、主骨２６、支骨２７及び支持骨２８を含み、上ロクロ２１は、中棒２４の上端に固定され、中ロクロ２２と下ロクロ２３は、中棒２４に摺動自在に外挿される（即ち中ロクロ２２と下ロクロ２３が中棒２４をスライドすることができる）。
【００２３】
主骨２６の一端は、上ロクロ２１に枢接され、主骨２６は、上ロクロ２１に回転可能に巻きつき、主骨２６の中部は、支骨２７の一端に枢接され、主骨２６と支骨２７は、相対的に回転できる。支骨２７の他端は、中ロクロ２２内に挿入して中ロクロ２２に枢接され、支骨２７は、中ロクロ２２に回転可能に巻きつけられる。支持骨２８は、挿着端２８ｂから直線に延伸する接続端２８ａを有し、支持骨２８の接続端２８ａが支骨２７の中部に枢接され、支持骨２８と支骨２７は、相対的に回転できる。支持骨２８の挿着端２８ｂは、下ロクロ２３に挿着・枢接され、支持骨２８が下ロクロ２３に回転可能に巻きつけられる。第１の弾性部品２５１は、上ロクロ２１と中ロクロ２２との間に弾性接続され、第２の弾性部品２５２が中ロクロ２２と下ロクロ２３との間に弾性接続される。支骨２７は、構造溝２７０を有している。これにより、支骨２７の重量を低減し、支骨２７の構造強度を向上させる。
【００２４】
構造溝２７０は、主骨２６に向けられ、支持骨２８には、挿着端２８ｂと接続端２８ａを連通する収納溝（図示せず）が設けられる。これにより支持骨２８の重量を低減し、支持骨２８の構造強度を向上させる。
【００２５】
該収納溝は、支骨２７に向けられ、支骨２７を支持骨２８の収納溝内に収納する接続端２８ａ側は、浮動防止バンプ２８１から外方向へ延伸している（即ち浮動防止バンプ２８１が２つの平行に設けられる浮動防止バンプシートからなる）。支骨２７の中部は、浮動防止バンプ２８１に枢接される。
＜第２実施形態＞
以下、本考案の直骨自動傘フレームにかかる第２実施形態を図３を用いて説明する。
【００２６】
図３に示すように、本実施例にかかる直骨自動傘フレーム２は、上ロクロ２１、中ロクロ２２、下ロクロ２３、中棒２４、弾性部品２５、主骨２６、支骨２７及び支持骨２８を含む。弾性部品２５は、中ロクロ２２と下ロクロ２３との間に弾性接続される。その他の構造特徴がいずれも図２の実施例と同じであり、差異は１つの弾性部品２５である。
【００２７】
本考案にかかる直骨自動傘フレームが以下の長所を持つ。支骨２７の構造溝２７０及び支持骨２８の収納溝がいずれもユーザーと背中合わせであるため、支骨２７と支持骨２８の鋭い開口端がユーザーと背中合わせとなり、これによりユーザーの手を傷つけることを有効に防止する。さらに、支骨２７と支持骨２８の重量を抑制し、支骨２７と支持骨２８の構造強度を高める。そのため本考案の直骨自動傘フレーム２の構造は、十分に強化された構造であり、図１に示すような従来の直骨自動傘フレーム１における支骨１７と支持骨１８の強度が不十分なことによる、回転揺れにより支持骨１８が破損しやすいという問題を解決する。
【００２８】
また、支持骨２８の接続端２８ａ側が浮動防止バンプ２８１から外方向へ延伸し、浮動防止バンプ２８１が支骨２７に枢接される。これにより、図１に示すような従来の直骨自動傘フレーム１が支持骨１８の浮動を防止するために、支骨１７の中部で支骨１７の内側に浮動防止バンプ１７１をノックして支骨１７の構造を破損し、更に支骨１７の寿命を低減する問題を有効に解決する。
【００２９】
また、構造溝２７０及び収納溝がいずれもＵ形溝であるため、支骨２７と支持骨２８の加工を極めて容易にすると共に、支骨２７と支持骨２８の構造強度を高め、支骨２７と支持骨２８を更に長持ちさせる。
【００３０】
主骨２６は、鋼材又は繊維材で、支骨２７及び支持骨２８は、アルミ材又は鉄材であり、主骨２６、支骨２７及び支持骨２８の構造強度を満たしつつ、直骨自動傘フレーム２の重量を抑制する。第１の弾性部品２５１と第２の弾性部品２５２は、スプリング材であり、これにより、該弾性部品の構造を簡単にすると共にコストを低減する。
【００３１】
図３の実施例における直骨自動傘フレーム２は、弾性部品２５は、１つだけでもよい。また、主骨２６、支骨２７及び支持骨２８の数には制限がなく、必要に応じて変化してよい。
【００３２】
主骨２６が上ロクロ２１に枢接され、主骨２６の中部が支骨２７に枢接され、支骨２７が中ロクロ２２に枢接され、支持骨２８が下ロクロ２３に枢接されるが、これらは、いずれも本分野の通常知識者にとって周知されていることであるため、ここで詳しくは述べない。
【００３３】
上述した実施例は、本考案の１つの最適な実施例の詳細な説明と図面であり、本考案を制限するものではない。本考案の明細書及び図面に開示される内容と同じ効果の変更、置換え等は、すべて下記の本考案の特許請求の範囲に含まれる。
【符号の説明】
【００３４】
１      直骨自動傘フレーム
１１    上ロクロ
１２    中ロクロ
１３    下ロクロ
１４    中棒
１５    弾性部品
１６    主骨
１７    支骨
１７０  Ｕ形溝
１７１  浮動防止バンプ
１８    支持骨
２      直骨自動傘フレーム
２１    上ロクロ
２２    中ロクロ
２３    下ロクロ
２４    中棒
２５    弾性部品
２５１  第１の弾性部品
２５２  第２の弾性部品
２６    主骨
２７    支骨
２７０  構造溝
２８    支持骨
２８１  浮動防止バンプ
２８ａ  接続端
２８ｂ  挿着端
【図１】
0003167355.tif 000003
【図２】
0003167355.tif 000004
【図３】
0003167355.tif 000005
【手続補正書】
【提出日】平成23年2月15日(2011.2.15)
【手続補正１】
【補正対象書類名】実用新案登録請求の範囲
【補正対象項目名】全文
【補正方法】変更
【補正の内容】
【実用新案登録請求の範囲】
【請求項１】
中棒と、
前記中棒の上端に固定される上ロクロと、
摺動可能に前記中棒に外挿される中ロクロと、
摺動可能に前記中棒に外挿される下ロクロと、
前記上ロクロと前記中ロクロとの間及び前記中ロクロと前記下ロクロとの間に接続される弾性部品と、
一端が前記上ロクロに枢接される主骨と、
一端が前記主骨の中部に枢接され、他端が前記中ロクロに枢接され、前記主骨に向く構造溝を有する支骨と、
前記下ロクロに挿着・枢接される挿着端と、前記挿着端から直線に延伸し、前記支骨の中部に枢接される接続端と、前記接続端より外側へ延伸され、前記支骨の中部に枢接される浮動防止バンプと、前記挿着端及び前記接続端を連通し、前記支骨を収納する収納溝とを有する支持骨と
を含む直骨自動傘フレーム。
【請求項２】
前記構造溝及び前記収納溝がいずれもＵ形溝である請求項１に記載の直骨自動傘フレーム。
【請求項３】
前記主骨が鋼材又は繊維材で、前記支骨及び前記支持骨がアルミ材又は鉄材である請求項１または２に記載の直骨自動傘フレーム。
【請求項４】
前記弾性部品が第１の弾性部品及び第２の弾性部品を含み、前記第１の弾性部品が上ロクロと中ロクロとの間に弾性接続され、前記第２の弾性部品が中ロクロと下ロクロとの間に弾性接続される請求項１ないし３のいずれかに記載の直骨自動傘フレーム。
【請求項５】
前記第１の弾性部品及び前記第２の弾性部品がスプリング材である請求項４に記載の直骨自動傘フレーム。
【請求項６】
中棒と、
前記中棒の上端に固定される上ロクロと、
摺動可能に前記中棒に外挿される中ロクロと、
摺動可能に前記中棒に外挿される下ロクロと、
前記中ロクロと前記下ロクロとの間に接続される弾性部品と、
一端が前記上ロクロに枢接される主骨と、
一端が前記主骨の中部に枢接され、他端が前記中ロクロに枢接され、前記主骨に向く構造溝を有する支骨と、
前記下ロクロに挿着・枢接される挿着端と、前記挿着端から直線に延伸し、前記支骨の中部に枢接される接続端と、前記接続端より外側へ延伸され、前記支骨の中部に枢接される浮動防止バンプと、前記挿着端及び前記接続端を連通し、前記支骨を収納する収納溝とを有する支持骨と
を含む直骨自動傘フレーム。
【請求項７】
前記構造溝及び前記収納溝がいずれもＵ形溝である請求項６に記載の直骨自動傘フレーム。
【請求項８】
前記主骨が鋼材又は繊維材で、前記支骨及び前記支持骨がアルミ材又は鉄材である請求項６または７に記載の直骨自動傘フレーム。
【請求項９】
前記弾性部品がスプリング材である請求項６ないし８のいずれかに記載の直骨自動傘フレーム。